(57)【要約】【課題】  複数のオーディオデータを処理して提供することができるディスプレイ装置、メガネ装置及びその制御方法を提供する。【解決手段】  ディスプレイ装置が開示される。ディスプレイ装置は、複数のコンテンツをディスプレイするディスプレイ部と、複数のコンテンツの各々に対応する複数のオーディオデータを信号処理して一つのオーディオ信号を生成するオーディオ信号処理部と、信号処理された一つのオーディオ信号をメガネ装置に伝送する通信部とを含む。【選択図】      図３Ａ
2014050109.tif 000002
【特許請求の範囲】
【請求項１】
ディスプレイ装置において、
複数のコンテンツをディスプレイするディスプレイ部と、
前記複数のコンテンツの各々に対応する複数のオーディオデータを信号処理して一つのオーディオ信号を生成するオーディオ信号処理部と、
前記信号処理された一つのオーディオ信号をメガネ装置に伝送する通信部と
を含むディスプレイ装置。
【請求項２】
前記複数のオーディオデータは、
前記ディスプレイ部において交互にディスプレイされる複数のコンテンツの各々に対応する互いに異なる複数のモノラルオーディオ信号であり、
前記オーディオ信号処理部は、
前記互いに異なる複数のモノラルオーディオ信号を信号処理して一つのステレオオーディオ信号を生成することを特徴とする請求項１に記載のディスプレイ装置。
【請求項３】
前記複数のコンテンツに対応する同期化信号を生成して前記メガネ装置に伝送する同期信号処理部を含むことを特徴とする請求項１または２に記載のディスプレイ装置。
【請求項４】
前記同期信号処理部は、
ブルートゥース通信モジュールを含むことを特徴とする請求項３に記載のディスプレイ装置。
【請求項５】
前記通信部は、
ＲＦ通信モジュールを含むことを特徴とする請求項１に記載のディスプレイ装置。
【請求項６】
複数のコンテンツをディスプレイするディスプレイ装置と連動するメガネ装置において、
前記ディスプレイ装置から前記複数のコンテンツの各々に対応する複数のオーディオデータを含む一つのオーディオ信号を受信する第１通信部と、
前記オーディオ信号から前記複数のオーディオデータを復号する信号処理部と、
前記複数のオーディオデータのうち何れか一つを選択するユーザ命令を受信するユーザインターフェース部と、
オーディオ出力部と、
前記ユーザ命令に従って、前記複数のオーディオのうちの一つを選択的に出力するように前記オーディオ出力部を制御する制御部と
を含むメガネ装置。
【請求項７】
前記複数のオーディオデータは、
前記ディスプレイ装置において交互にディスプレイされる複数のコンテンツの各々に対応する互いに異なる複数のモノラルオーディオ信号であり、
前記第１通信部は、
前記ディスプレイ装置から前記互いに異なる複数のモノラルオーディオ信号を含む一つのステレオ信号を受信することを特徴とする請求項６に記載のメガネ装置。
【請求項８】
前記ディスプレイ装置から前記複数のコンテンツの各々に対応する同期化信号を受信する第２通信部と、
第１及び第２シャッタグラス部を含むシャッタグラス部と、
前記第１及び第２シャッタグラス部をオープンさせるシャッタグラス駆動部と
を更に含み、
前記制御部は、
前記同期化信号が受信されると、前記同期化信号に基づいて前記複数のコンテンツの各々のディスプレイタイミングに応じて、第１及び第２シャッタグラス部のオープンタイミングを制御するように前記シャッタグラス駆動部を制御することを特徴とする請求項６に記載のメガネ装置。
【請求項９】
前記第１通信部は、
ＲＦ通信モジュールを含み、
前記第２通信部は、
ブルートゥース通信モジュールを含むことを特徴とする請求項８に記載のメガネ装置。
【請求項１０】
前記メガネ装置は、
アクティブ（ａｃｔｉｖｅ）タイプメガネ装置であることを特徴とする請求項６に記載のメガネ装置。
【請求項１１】
前記メガネ装置は、
パッシブ（ｐａｓｓｉｖｅ）タイプメガネ装置であることを特徴とする請求項６に記載のメガネ装置。
【請求項１２】
ディスプレイ装置の制御方法において、
複数のコンテンツをディスプレイするステップと、
前記複数のコンテンツの各々に対応する複数のオーディオデータを信号処理して一つのオーディオ信号を生成するステップと、
前記信号処理された一つのオーディオ信号をメガネ装置に伝送するステップと
を含む制御方法。
【請求項１３】
前記複数のオーディオデータは、
前記ディスプレイ部において交互にディスプレイされる複数のコンテンツの各々に対応する互いに異なる複数のモノラルオーディオ信号であり、
前記オーディオ信号を生成するステップは、
前記互いに異なる複数のモノラルオーディオ信号を信号処理して一つのステレオオーディオ信号を生成することを特徴とする請求項１２に記載の制御方法。
【請求項１４】
前記複数のコンテンツに対応する同期化信号を生成して前記メガネ装置に伝送するステップを更に含むことを特徴とする請求項１２または１３に記載の制御方法。
【請求項１５】
複数のコンテンツをディスプレイするディスプレイ装置と連動するメガネ装置の制御方法において、
前記ディスプレイ装置から前記複数のコンテンツの各々に対応する複数のオーディオデータを含むオーディオ信号を受信するステップと、
前記オーディオ信号から前記複数のオーディオデータを復号するステップと、
前記復号された複数のオーディオデータのうち何れか一つを選択するユーザ命令を受信するステップと、
前記ユーザ命令に従って、前記複数のオーディオのうちの一つを選択的に出力するステップと
を含む制御方法。
【発明の詳細な説明】
【技術分野】
【０００１】
本発明は、ディスプレイ装置、メガネ装置及びその制御方法に関し、より詳細には、ディスプレイされるコンテンツに対応するオーディオデータを処理できるディスプレイ装置、メガネ装置及びその制御方法に関する。
【背景技術】
【０００２】
電子技術の発達により、多様な電子製品が開発及び普及されている。特に、テレビ、携帯電話、パソコン、ノートパソコン、ＰＤＡ等のような各種ディスプレイ装置は、多くの一般家庭でも使用されている。
【０００３】
ディスプレイ装置の使用が増え、より多様な機能に対するユーザからのニーズも増え続けてきた。それに伴い、ユーザからのニーズに応えるための各電子メーカーの取り組みも強化し、３Ｄコンテンツの提供等、従来にはない新たな機能を備えた製品が続々登場している。
【０００４】
なお、最近は、複数のコンテンツを同時に提供し、複数のユーザが互いに異なるコンテンツを視聴できるディスプレイ装置の開発への取り組みが行われている。特に、ディスプレイ装置にディスプレイされる複数のコンテンツの何れか一つのコンテンツにメガネ装置を同期化させ、メガネ装置を着用したユーザに特定コンテンツを提供することができる方策が登場している。
【０００５】
このような方法の場合、複数のコンテンツに対応する複数のオーディオデータをユーザに適切に提供する方策が求められる。
【先行技術文献】
【特許文献】
【０００６】
【特許文献１】日本特開平９−０００９１６６号公報
【特許文献２】韓国特開第２００６−０１１６４９９号公報
【発明の概要】
【発明が解決しようとする課題】
【０００７】
そこで、本発明は、上記問題に鑑みてなされたものであり、本発明の目的とするところは、複数のオーディオデータを処理して提供することができるディスプレイ装置、メガネ装置及びその制御方法を提供することにある。
【課題を解決するための手段】
【０００８】
以上のような目的を達成するための本発明の一実施形態に係るディスプレイ装置は、複数のコンテンツをディスプレイするディスプレイ部と、前記複数のコンテンツの各々に対応する複数のオーディオデータを信号処理して一つのオーディオ信号を生成するオーディオ信号処理部と、前記信号処理された一つのオーディオ信号をメガネ装置に伝送する通信部とを含む。
【０００９】
ここで、前記複数のオーディオデータは、前記ディスプレイ部において交互にディスプレイされる複数のコンテンツの各々に対応する互いに異なる複数のモノラルオーディオ信号であり、前記信号処理部は、前記互いに異なる複数のモノラルオーディオ信号を信号処理して一つのステレオオーディオ信号を生成してよい。
【００１０】
なお、前記複数のコンテンツに対応する同期化信号を生成して前記メガネ装置に伝送する同期信号処理部を更に含んでよい。
【００１１】
ここで、前記同期信号処理部は、ブルートゥース通信モジュールを含んでよい。
【００１２】
なお、前記オーディオ信号処理部は、ＲＦ通信モジュールを含んでよい。
【００１３】
なお、本発明の一実施形態に係る複数のコンテンツをディスプレイするディスプレイ装置と連動するメガネ装置は、前記ディスプレイ装置から前記複数のコンテンツの各々に対応する複数のオーディオデータを含む一つのオーディオ信号を受信する第１通信部と、前記オーディオ信号から前記複数のオーディオデータを復号する信号処理部と、前記複数のオーディオデータのうち何れか一つを選択するユーザ命令を受信するユーザインターフェース部と、オーディオ出力部と、前記ユーザ命令に従って、前記複数のオーディオのうちの一つを選択的に出力するように前記オーディオ出力部を制御する制御部とを含んでよい。
【００１４】
ここで、前記複数のオーディオデータは、前記ディスプレイ装置において交互にディスプレイされる複数のコンテンツの各々に対応する互いに異なる複数のモノラルオーディオ信号であり、前記第１通信部は、前記ディスプレイ装置から前記互いに異なる複数のモノラルオーディオ信号を含む一つのステレオ信号を受信してよい。
【００１５】
なお、前記ディスプレイ装置から前記複数のコンテンツの各々に対応する同期化信号を受信する第２通信部と、第１及び第２シャッタグラス部を含むシャッタグラス部と、前記第１及び第２シャッタグラス部をオープンさせるシャッタグラス駆動部とを更に含み、前記制御部は、前記同期化信号が受信されると、前記同期化信号に基づいて前記複数のコンテンツの各々のディスプレイタイミングに応じて、第１及び第２シャッタグラス部のオープンタイミングを制御するように前記シャッタグラス駆動部を制御してよい。
【００１６】
この場合、前記第１通信部は、ＲＦ通信モジュールを含み、前記第２通信部は、ブルートゥース通信モジュールを含んでよい。
【００１７】
ここで、前記メガネ装置は、アクティブタイプメガネ装置であってよい。
【００１８】
または、前記メガネ装置は、パッシブタイプメガネ装置であってよい。
【００１９】
一方、本発明の一実施形態に係るディスプレイ装置の制御方法は、複数のコンテンツをディスプレイするステップと、前記複数のコンテンツの各々に対応する複数のオーディオデータを信号処理して一つのオーディオ信号を生成するステップと、前記信号処理された一つのオーディオ信号をメガネ装置に伝送するステップとを含む。
【００２０】
ここで、前記複数のオーディオデータは、前記ディスプレイ部において交互にディスプレイされる複数のコンテンツの各々に対応する互いに異なる複数のモノラルオーディオ信号であり、前記オーディオ信号を生成するステップは、前記互いに異なる複数のモノラルオーディオ信号を信号処理して一つのステレオオーディオ信号を生成してよい。
【００２１】
なお、前記複数のコンテンツに対応する同期化信号を生成して前記メガネ装置に伝送するステップを更に含んでよい。
【００２２】
なお、前記同期化信号を前記メガネ装置に伝送するステップは、ブルートゥース通信を通じて前記同期化信号を伝送してよい。
【００２３】
なお、前記信号処理された一つのオーディオ信号をメガネ装置に伝送するステップは、ＲＦ通信を通じて前記同期化信号を伝送してよい。
【００２４】
なお、本発明の一実施形態に係る複数のコンテンツをディスプレイするディスプレイ装置と連動するメガネ装置の制御方法は、前記ディスプレイ装置から前記複数のコンテンツの各々に対応する複数のオーディオデータを含むオーディオ信号を受信するステップと、前記オーディオ信号から前記複数のオーディオデータを復号するステップと、前記復号された複数のオーディオデータのうち何れか一つを選択するユーザ命令を受信するステップと、前記ユーザ命令に従って、前記複数のオーディオのうちの一つを選択的に出力するステップとを含む。
【００２５】
ここで、前記複数のオーディオデータは、前記ディスプレイ装置において交互にディスプレイされる複数のコンテンツの各々に対応する互いに異なる複数のモノラルオーディオ信号であり、前記オーディオ信号を受信するステップは、前記ディスプレイ装置から前記互いに異なる複数のモノラルオーディオ信号を含む一つのステレオ信号を受信してよい。
【００２６】
なお、前記ディスプレイ装置から前記複数のコンテンツの各々に対応する同期化信号を受信するステップと、前記同期化信号が受信されると、前記同期化信号に基づいて前記複数のコンテンツの各々のディスプレイタイミングに応じて、第１及び第２シャッタグラス部のオープンタイミングを制御するステップとを更に含んでよい。
【００２７】
この場合、前記オーディオ信号を受信するステップは、ＲＦ通信を通じて前記オーディオ信号を受信し、前記同期化信号を受信するステップは、ブルートゥース通信を通じて前記同期化信号を受信してよい。
【発明の効果】
【００２８】
以上説明したように、本発明によれば、複数のオーディオ信号を伝送することができるため、ユーザの便宜性を向上することができる。
【図面の簡単な説明】
【００２９】
【図１】本発明の一実施形態に係るコンテンツ提供システムの構成を概略に説明するための模式図である。
【図２Ａ】本発明の一実施形態に係るコンテンツ提供システムの概略的な動作を説明するための図である。
【図２Ｂ】本発明の一実施形態に係るコンテンツ提供システムの概略的な動作を説明するための図である。
【図３Ａ】本発明の一実施形態に係るディスプレイ装置の構成を説明するためのブロック図である。
【図３Ｂ】本発明の一実施形態に係るディスプレイ装置の構成を説明するためのブロック図である。
【図４】本発明の一実施形態に係るオーディオ信号処理部の構成を示すブロック図である。
【図５】本発明の一実施形態に係るメガネ装置の構成を説明するためのブロック図である。
【図６】ブルートゥース規格によるペアリング過程で伝送されるパケットフォーマットの一例を示す図である。
【図７】本発明の一実施形態に係るディスプレイ装置の制御方法を説明するためのフローチャートである。
【図８】本発明の一実施形態に係るメガネ装置の制御方法を説明するためのフローチャートである。
【発明を実施するための形態】
【００３０】
以下に添付図面を参照しながら、本発明の好適な実施形態について詳細に説明する。
【００３１】
図１は、本発明の一実施形態に係るコンテンツ提供システムの構成を概略に説明するための模式図である。
【００３２】
図１の（ａ）に示すように、本発明の一実施形態に係るコンテンツ提供システムは、ディスプレイ装置１００及びメガネ装置２００を含む。
【００３３】
ディスプレイ装置１００は、少なくとも一つのコンテンツをディスプレイすることができる。ここで、少なくとも一つのコンテンツは、２Ｄコンテンツまたは３Ｄコンテンツであってよい。
【００３４】
特に、ディスプレイ装置１００は、複数のコンテンツをディスプレイすることができ、例えば、複数の２Ｄまたは３Ｄコンテンツであってよい。
【００３５】
なお、ディスプレイ装置１００は、ビデオ同期化信号（以下、同期化信号という）及びオーディオ信号を処理してメガネ装置２００に伝送する機能を担う。具体的に、ディスプレイ装置１００は、同期化信号を処理する同期信号処理部（図示せず）及びオーディオ信号を処理するオーディオ信号処理部（図示せず）を備える形態でも実現可能である。
【００３６】
同期信号処理部（図示せず）は、同期化信号を送受信するブルートゥース通信モジュール（ＢＴ）を含む形態で実現されてよい。
【００３７】
オーディオ信号処理部（図示せず）は、複数のオーディオ信号に対応する複数のオーディオ信号を一つのオーディオ信号に処理してメガネ装置２００に伝送することができる。ここで、複数のオーディオ信号は互いに異なる複数のコンテンツに対応する互いに異なるモノラルオーディオ信号であってよいが、一つのコンテンツに対応するステレオオーディオ信号を構成するＬ、Ｒ信号であってよい。そのために、オーディオ信号処理部（図示せず）は、ＡＤＣ及びＴＸ  ＩＣを含んでよく、それに対する詳細な説明は後述する。
【００３８】
メガネ装置２００は、ディスプレイ装置１００からビデオ同期化信号及びオーディオ信号を受信する。
【００３９】
メガネ装置２００は、受信されたオーディオ同期化信号に応じて左側及び右側シャッタグラスを交互にオープンさせ、受信されたビデオ同期化信号に基づいて受信されたオーディオ信号を出力する機能を担う。
【００４０】
具体的に、メガネ装置２００は、受信されたオーディオ信号を復号して獲得された複数のオーディオ信号のうちの一つを選択的に出力したり、複数のオーディオ信号を交互に出力することができる。
【００４１】
一方、上述の実施形態においては、オーディオ信号及び同期化信号を処理する信号処理部がディスプレイ装置１００と一体型で実現される場合について説明してきたが、それは一実施形態に過ぎず、図１の（ｂ）に示すように、ビデオ同期化信号を処理する同期信号処理部３１０及びオーディオ信号を処理するオーディオ信号処理部３２０は、ディスプレイ装置１００とは別途の信号処理装置で実現することも可能である。この場合、同期信号処理部３１０及びオーディオ信号処理部３２０を含む一つの信号処理装置３００で実現されるか、同期信号処理部３１０及びオーディオ信号処理部３２０の各々が別個の信号処理装置で実現することも可能である。
【００４２】
図２Ａ及び図２Ｂは、本発明の一実施形態に係るコンテンツ提供システムの概略的な動作を説明するための図である。図２Ａ及び図２Ｂにおいては、説明の便宜上、図１に示す信号処理装置３００の図示を省略し、ディスプレイ装置１００及びメガネ装置２００の動作を説明する。
【００４３】
図２Ａは、本発明の一実施形態によって複数の２Ｄコンテンツを提供する方法を説明するための図である。
【００４４】
ディスプレイ装置１００は、複数の２Ｄコンテンツ（コンテンツＡ、Ｂ）を交互にディスプレイし、各コンテンツに対応するメガネ装置１、２（２００−１、２００−２）を同期化させる同期化信号を生成してメガネ装置２００−１、２００−２に伝送する。
【００４５】
この場合、メガネ装置１（２００−１）は、同期化信号に応じて一つのコンテンツＡがディスプレイされる際、左側シャッタグラス及び右側シャッタグラス両方をオープンさせ、別のコンテンツＢがディスプレイされる際、左側シャッタグラス及び右側シャッタグラス両方をオフさせるように動作することができる。それにより、メガネ装置１（２００−１）を着用した視聴者１（ｖｉｅｗｅｒ  １）は交互にディスプレイされる複数のコンテンツＡ、Ｂのうち、メガネ装置１（２００−１）と同期化した一つのコンテンツＡのみを視聴することができる。同様の方式で、メガネ装置２（２００−２）を着用した視聴者２（ｖｉｅｗｅｒ  ２）はコンテンツＢのみを視聴することができる。
図２Ｂは、本発明の一実施形態によって複数の３Ｄコンテンツを提供する方法を説明するための図である。
【００４６】
図示のように、複数の３Ｄコンテンツ（コンテンツＡ、Ｂ）が３Ｄコンテンツである場合、ディスプレイ装置１００は、複数の３Ｄコンテンツ（コンテンツＡ、Ｂ）を交互にディスプレイしつつ、各３Ｄコンテンツの左眼映像及び右眼映像も交互にディスプレイすることができる。
【００４７】
例えば、３ＤコンテンツＡの左眼映像及び右眼映像ＡＬ、ＡＲをディスプレイし、３ＤコンテンツＢの左眼映像及び右眼映像ＢＬ、ＢＲを交互にディスプレイすることができる。この場合、メガネ装置１（２００−１）は、３ＤコンテンツＡの左眼映像及び右眼映像ＡＬ、ＡＲのディスプレイ時点で左眼及び右眼グラスをオープンさせ、メガネ装置２（２００−２）は、３ＤコンテンツＢの左眼映像及び右眼映像ＢＬ、ＢＲのディスプレイ時点で左眼及び右眼グラスをオープンさせることができる。
【００４８】
それにより、メガネ装置１（２００−１）を着用した視聴者１（ｖｉｅｗｅｒ  １）は３ＤコンテンツＡのみを視聴するようになり、メガネ装置２（２００−２）を着用した視聴者２（ｖｉｅｗｅｒ  ２）は３ＤコンテンツＢのみを視聴するようになり。
【００４９】
ただ、それはシャッタグラス方式を想定した場合に対する説明であり、偏光方式の場合には、複数のコンテンツ映像の各々の偏光方向とメガネ装置１、２の偏光方向とが一致するように実現し、マルチビューモードをサポートすることができることは当業者に自明に認識されるだろう。
【００５０】
図３は、本発明の一実施形態に係るディスプレイ装置の構成を説明するためのブロック図である。
【００５１】
図３Ａによると、ディスプレイ装置１００は、ディスプレイ部１１０と、オーディオ信号処理部１２０と、通信部１３０及び制御部１４０を含む。ここで、ディスプレイ装置１００は、テレビ、携帯電話、ＰＤＡ、ノートパソコン、モニタ、タブレットパソコン、電子書籍、デジタルフォトフレーム、キヨスク端末等のように、ディスプレイユニットを備えた多様な装置で実現されてよい。
【００５２】
ディスプレイ部１１０は、複数のコンテンツの各々を交互にディスプレイする。具体的に、ディスプレイ部１１０は、各コンテンツの映像フレームを少なくとも一つずつ交互にディスプレイすることができる。
【００５３】
例えば、ディスプレイ部１１０は、第１コンテンツの映像フレーム、第２コンテンツの映像フレーム、…、第ｎコンテンツの映像フレームが少なくとも一つずつ交互に配置されるように構成してディスプレイする。
【００５４】
オーディオ信号処理部１２０は、複数のオーディオデータを信号処理して一つの信号を生成することができる。ここで、複数のオーディオデータは複数のコンテンツに対応する互いに異なるモノラルオーディオ信号または一つのコンテンツに対応するステレオオーディオ信号を構成するＬ、Ｒ信号であってよい。
【００５５】
具体的に、オーディオ信号処理部１２０は、複数のオーディオ信号をＩＦ（Ｉｎｔｅｒｍｅｄｉａｔｅ  Ｆｒｅｑｕｅｎｃｙ）を通じて一つのステレオ信号に変換する。
【００５６】
特に、オーディオ信号処理部１２０は、互いに異なるサンプリングレートを有する複数のオーディオ信号の場合でも、オーディオＩＦ等の信号処理を通じて一つのステレオ信号を生成することができる。
【００５７】
例えば、Ｉ２Ｓのような信号処理を通じて複数のオーディオ信号を一つのステレオ信号に変換することができる。ここで、Ｉ２Ｓ（Ｉｎｔｅｇｒａｔｅｄ  Ｉｎｔｅｒｃｈｉｐ  Ｓｏｕｎｄ）は、更にＤＳＰ、デジタルテレビ音響等、デジタルオーディオ装置及び技術のための直列バス設計である。Ｉ２Ｓ設計では、オーディオデータをクロック信号から分離して処理する。データとクロック信号とを分離すると、ジッターを誘発する時間に関連するエラーが生じないため、ジッター防止装置等が必要ではなくなる。Ｉ２Ｓバスは、時分割多重化データチャネルのための回線１本と、ワード選択用の回線１本、そしてクロック回線１本等、合わせて３本の直列バス回線で構成される。Ｉ２Ｓ技術は、当業者に公知となっている技術であるため、より詳細な説明は省略する。
【００５８】
通信部１３０は、オーディオ信号処理部１２０から生成された一つの信号を予め設定された周波数帯域を通じてメガネ装置２００に伝送することができる。ここで、通信部１３０は、ＲＦ通信モジュールを含む形態で実現されてよい。
【００５９】
制御部１４０は、ディスプレイ装置１００の動作全般を制御する。特に、制御部１４０は、複数のオーディオデータを含む一つのオーディオ信号がメガネ装置２００に伝送されるように制御することができる。
【００６０】
なお、制御部１４０は、メガネ装置２００の要求により、ペアリング動作が行われるように制御することができる。以下では、ディスプレイ装置１００及びメガネ装置２００がブルートゥース通信方式によってペアリングを行う場合を想定して説明する。
【００６１】
具体的に、メガネ装置２００はペアリング動作を行うために、インクワイアリーメッセージ（Ｉｎｑｕｉｒｙ  Ｍｅｓｓａｇｅ）をブロードキャストし、ブルートゥース通信が可能な範囲内にあるディスプレイ装置１００を検索する。インクワイアリーメッセージが受信されると、制御部１４０は、それに対する応答メッセージ（Ｅｘｔｅｎｄｅｄ  Ｉｎｑｕｉｒｙ  Ｒｅｓｐｏｎｓｅ：ＥＩＲ）をメガネ装置２００に伝送するように通信インターフェース部１２０を制御する。ここで、応答メッセージには、ブルートゥースアドレス（Ｂｌｕｅｔｏｏｔｈ（登録商標）  ｄｅｖｉｃｅ  Ａｄｄｒｅｓｓ）機器名称（Ｎａｍｅ）、ＣＯＤ（Ｃｌａｓｓ  ｏｆ  Ｄｅｖｉｃｅ）及びクロック情報等が含まれてよい。
【００６２】
一方、応答メッセージを受信したメガネ装置２００は、ブルートゥースアドレス、機器タイプ（Ｔｙｐｅ）等を含む伝送パケットをディスプレイ装置１００に伝送する。通信インターフェース部１２０を介して当該伝送パケットを受信されると、制御部１４０は、メガネ装置２００とＰＩＮコード（ＰＩＮ  Ｃｏｄｅ）を送受信するように通信インターフェース部１２０を制御し、メガネ装置２００とのペアリング動作を行うことができる。ここで、制御部１４０は、ユーザがＰＩＮコードを直接入力しなくても自動的に入力し、ディスプレイ装置１００を登録することで、ペアリング動作を行うことができるようになる。しかし、それに限定されるものではなく、ユーザがディスプレイ装置１００のＰＩＮコードを直接入力する方法を通じてペアリング過程を行うことも可能である。
【００６３】
このように、制御部１４０は、メガネ装置２００からインクワイアリーメッセージが受信されると、それに対する応答メッセージを伝送し、通信インターフェース部１２０とメガネ装置２００とが通信できるように接続動作を行う。このとき、制御部１４０は、メガネ装置２００からインクワイアリーメッセージが受信されると、オーディオ信号がメガネ装置２００に伝送されるように、オーディオデータ送信部１３０を制御することができる。
【００６４】
図３Ｂは、本発明の一実施形態に係るディスプレイ装置の細部構成を説明するためのブロック図である。図３Ｂによると、ディスプレイ装置１００は、ディスプレイ部１１０と、オーディオ信号処理部１２０と、通信部１３０と、制御部１４０と、複数の受信部１５０−１、１５０−２、…、１５０−ｎ、複数の信号処理部１６０−１、１６０−２、…、１６０−ｎ及び同期信号処理部１７０を含む。図３を説明するうえで、図２と同様の図面符号の構成は、同様の構成を行うことから繰り返し説明は省略する。
【００６５】
複数の受信部１５０−１、１５０−２、…、１５０−ｎは、互いに異なるコンテンツの各々を受信する。具体的に、各受信部１５０−１、１５０−２、…、１５０−ｎは、放送ネットワークを用いて放送番組コンテンツを伝送する放送局またはインターネットを用いてコンテンツファイルを伝送するウェブサーバからコンテンツを受信する。なお、ディスプレイ装置１００内に設けられたり、ディスプレイ装置１００に接続された各種記録媒体再生装置からコンテンツを受信することもできる。記録媒体再生装置とは、ＣＤ、ＤＶＤ、ハードディスク、ブルーレイディスク、メモリカード、ＵＳＢメモリ等のような多様な記録媒体に保存されたコンテンツを再生する装置を意味する。
【００６６】
放送局からコンテンツを受信する実施形態の場合には、複数の受信部１５０−１、１５０−２、…、１５０−ｎは、チューナ（図示せず）、復調器（図示せず）、等化器（図示せず）等のような構成を含む形態で実現されてよい。一方、ウェブサーバのようなソースからコンテンツを受信する実施形態の場合には、複数の受信部１５０−１、１５０−２、…、１５０−ｎは、ネットワークインターフェースカード（図示せず）で実現されてよい。なお、複数の受信部１５０−１、１５０−２、…、１５０−ｎは、必ずしも同様の類型のソースからコンテンツを受信する必要はなく、複数の受信部１５０−１、１５０−２、…、１５０−ｎは互いに異なる類型のソースからコンテンツを受信することもできる。
【００６７】
複数の信号処理部１６０−１、１６０−２、…、１６０−ｎは、複数の受信部１５０−１、１５０−２、…、１５０−ｎから受信されたコンテンツを各々処理して映像  フレームを構成することができる。
【００６８】
同期信号処理部１７０は、各コンテンツのディスプレイタイミングに応じて、各コンテンツに対応するメガネ装置を同期化させる同期化信号を生成し、メガネ装置２００に伝送する。具体的に、同期信号処理部１７０は、マルチビューモードで複数のコンテンツの各々に対する映像フレームのディスプレイタイミングでメガネ装置を同期化させるための同期化信号を生成し、通常モードでは３Ｄコンテンツの左眼映像フレーム及び右眼映像フレームのディスプレイタイミングでメガネ装置を同期化させるための同期化信号を生成する。
【００６９】
なお、同期信号処理部１７０は、生成された同期化信号をメガネ装置２００に伝送する。この場合、同期信号処理部１７０は、ブルートゥース通信モジュールを含む形態で実現され、ブルートゥース通信方式によってメガネ装置２００に同期化信号を伝送することができる。
【００７０】
上述の実施形態では、ディスプレイ装置１００及びメガネ装置２００が同期化信号を伝送するために、ブルートゥース通信方式によって通信を行うものとして説明しているが、それは一例に過ぎない。すなわち、ブルートゥース方式の他に、赤外線通信、Ｚｉｇｂｅｅ（登録商標）等の通信方式を利用することができ、その他の近距離から通信チャネルを形成して信号を送受信することができる多様な無線通信方式によって通信を行うことができるのは言うまでもない。
【００７１】
このように、ディスプレイ装置１００は、ペアリングが完了しているメガネ装置２００にコンテンツに対応する同期化信号をブルートゥース通信プロトコルによる伝送パケット形態で伝送することができる。メガネ装置２００は、伝送パケットが受信されると、伝送パケットに含まれた時間情報に基づいてグラスをオープンまたはオフさせることができる。それにより、メガネ装置２００を着用したユーザは、複数のコンテンツのうちの一つのコンテンツのみを視聴することができるようになる。
【００７２】
一方、制御部１４０は、複数のコンテンツの各々に対応する同期化信号のうちの一つを接続動作が完了しているメガネ装置２００に伝送するように同期信号処理部１７０を制御することができる。
【００７３】
ここで、メガネ装置２００に伝送される同期化信号は、デフォルトに設定されていてよい。例えば、第１コンテンツの映像フレーム及び第２コンテンツの映像フレームが交互にディスプレイされる場合を想定する。この場合。第１コンテンツに対応する同期化信号と第２コンテンツに対応する同期化信号とのうち、第１コンテンツに対応する同期化信号をメガネ装置に伝送するように設定されていてよい。
【００７４】
一方、制御部１４０は、メガネ装置２００から別の同期化信号の伝送を要求する要求メッセージが受信されると、別の同期化信号を伝送するように同期信号処理部１７０を制御することができる。
【００７５】
図４は、図１に示すオーディオ信号処理部及び通信部の実現例を説明するための図である。
【００７６】
図４の（ａ）に示すように、本発明の一実施形態に係るオーディオ信号処理部は、複数のアナログＬ／Ｒオーディオ信号を各々処理する複数のＡＤＣ１２１−１、１２１−２で実現され、通信部１３０は、複数のＡＤＣ１２１−１、１２１−２で信号処理された一つのステレオ信号をメガネ装置２００に伝送するＴＸ  ＩＣ１３１で実現されてよい。
【００７７】
図４の（ｂ）に示すように、本発明の別の実施形態に係るオーディオ信号処理部は複数のアナログＬ／Ｒオーディオ信号を処理する一つのＡＤＣ１２２で実現され、通信部１３０は一つのＡＤＣ１２２で信号処理された一つのステレオ信号をメガネ装置２００に伝送するＴＸ  ＩＣ１３１で実現されてよい。
【００７８】
図５は、本発明の一実施形態に係るメガネ装置の構成を説明するためのブロック図である。
【００７９】
図５によると、メガネ装置２００は、第１通信部２１０と、第２通信部２２０と、制御部２３０と、シャッタグラス駆動部２４０と、第１シャッタグラス部２５０と、第２シャッタグラス部２６０と、オーディオ信号処理部２７０と、オーディオ出力部２８０及びユーザインターフェース部２９０を含む。特に、本メガネ装置２００は、複数のコンテンツの各々を交互にディスプレイするディスプレイ装置（図１の１００）と連動することができる。ここで、メガネ装置２００は、シャッタグラスを具備するアクティブ（ａｃｔｉｖｅ）タイプで実現されてよいが、それに限定されるものではなく、偏光フィルムを具備するパッシブ（ｐａｓｓｉｖｅ）タイプで実現することも可能である。なお、場合によっては、パッシブメガネ方式とアクティブメガネ装置とを組み合わせたアクティブシャッタ（Ａｃｔｉｖｅ  Ｓｈｕｔｔｅｒ）方式を採用することができる。このアクティブシャッタ方式は、アクティブメガネの液晶を除去する代わりに、ディスプレイパネルにアクティブリターダ（Ａｃｔｉｖｅ  Ｒｅｔａｒｄｅｒ）を付加して左眼及び右眼映像の出力が相互異なる偏光状態になるように作られる。よって、左眼及び右眼映像を時間的に分割して表示しつつ、各々の出力偏光が相互異なる状態になるようにすることができるため、パッシブメガネを利用しても解像度の損失なく高画質の３Ｄを視聴することができるようにする。
【００８０】
第１通信部２１０は、複数のコンテンツのうちの一つのコンテンツに対応する同期化信号を受信するために、ディスプレイ装置１００に接続要求メッセージを伝送することができる。すなわち、ブルートゥースモジュールを含む場合、第１通信部２１０は、インクワイアリーメッセージをディスプレイ装置１００に伝送する。そして、ディスプレイ装置１００から伝送される応答メッセージを受信してペアリング動作を行うことができる。
【００８１】
一方、ディスプレイ装置１００との間に定義された通信プロトコルによってディスプレイと第１通信部２１０とが接続されると、第１通信部２１０はディスプレイ装置１００から同期化信号を受信することができる。
【００８２】
具体的に、ディスプレイ装置１００がマルチビューモードである場合、第１通信部２１０は複数のコンテンツのうちの一つのコンテンツに対する映像フレームのディスプレイタイミングでメガネ装置を同期化させるための同期化信号を受信する。そして、ディスプレイ装置１００が通常モードである場合、第１通信部２１０は、３Ｄコンテンツの左眼映像フレーム及び右眼映像フレームのディスプレイタイミングでメガネ装置を同期化させるための同期化信号を受信することができる。
【００８３】
制御部２３０は、メガネ装置２００の動作全般を制御する。
【００８４】
特に、制御部２３０は、第１通信部２１０を介して受信された同期化信号に基づいてオーディオ信号処理部２７０から獲得された複数のオーディオデータのうちの一つを選択的に出力するようにオーディオ出力部２８０を制御することができる。ここで、出力されるオーディオ信号は、通信部２１０を介して受信された同期化信号に対応するコンテンツに関連したオーディオ信号であってよい。
【００８５】
それにより、メガネ装置２００では、ディスプレイ装置１００から出力される互いに異なる複数のオーディオ信号を受信するようになるため、デュアルビューオーディオ機能を実現することができるようになる。
【００８６】
なお、制御部２３０は、第１通信部２１０から受信された同期化信号をシャッタグラス駆動部２４０に伝達し、シャッタグラス駆動部２４０の動作を制御する。具体的に、制御部２３０は、ディスプレイ装置と第１通信部２１０との接続が完了し、同期化信号が受信されると、同期化信号に基づいて、一つのコンテンツのディスプレイタイミングに応じて第１シャッタグラス部２５０及び第２シャッタグラス部２６０のオープンタイミングを制御するようにシャッタグラス駆動部２４０を制御することができる。
【００８７】
シャッタグラス駆動部２４０は、第１シャッタグラス部２５０及び第２シャッタグラス部２６０をオープンさせる。具体的に、シャッタグラス駆動部２４０は、制御部２３０から受信された同期化信号に基づいて、第１シャッタグラス部２５０及び第２シャッタグラス部２６０を駆動させるための駆動信号を生成する。
【００８８】
第１シャッタグラス部２５０及び第２シャッタグラス部２６０は、シャッタグラス駆動部２４０から受信された駆動信号に応じてシャッタグラスをオープンまたはオフさせる。
【００８９】
具体的に、第１シャッタグラス部２５０及び第２シャッタグラス部２６０は、複数のコンテンツのうちの一つのコンテンツがディスプレイされる際、シャッタグラスを同時にオープンし、別のコンテンツがディスプレイされる際、シャッタグラスの両方をオフさせる。それにより、メガネ装置２００を着用したユーザは、一つのコンテンツを視聴することができる。
【００９０】
一方、３Ｄコンテンツの場合、第１シャッタグラス部２５０及び第２シャッタグラス部２６０は、各々のグラスを交互にオープン／オフすることができる。すなわち、駆動信号に応じて一つの３Ｄコンテンツを構成する左眼映像がディスプレイされるタイミングで第１シャッタグラス部２５０をオープンさせ、右眼映像がディスプレイされるタイミングで第２シャッタグラス部２６０をオープンさせることができる。
【００９１】
第２通信部２２０は、ディスプレイ装置から出力される複数のオーディオ信号のうち、メガネ装置に同期化したコンテンツビューに対応するオーディオ信号を受信する。ここで、第２通信部２２０は、ＲＦ通信モジュールを含む形態で実現されてよい。
【００９２】
上述のように、ディスプレイ装置１００は、マルチビュー機能を実行するようになると、各コンテンツのオーディオデータを検出し、互いに異なる無線周波数チャネルを通じて出力することができる。第２通信部２２０は、制御部２４０によって選択されたコンテンツビューに対応する無線周波数チャネル情報を用いて、無線周波数チャネルを選局してオーディオ信号を受信する。無線周波数チャネル情報は、ディスプレイ装置１００から伝送されるターゲットコンテンツビュー情報や同期化信号等に含まれて同時に伝送されてよく、別途の信号フォーマットでメガネ装置２００側に伝送されてよい。
【００９３】
オーディオ信号処理部２７０は、第２通信部２２０から受信されたオーディオ信号を処理してオーディオデータを検出する。具体的には、復調、ノイズフィルタリング、増幅等のような処理を行うことができる。
【００９４】
特に、オーディオ信号処理部２７０は、第２通信部２２０を介して受信されたステレオオーディオ信号を復号して複数のオーディオ信号を獲得することができる。ここで、複数のオーディオ信号は互いに異なるモノラルオーディオ信号であってよい。
【００９５】
なお、オーディオ信号処理部２７０は、複数のオーディオイ信号のうち、制御部２３０の制御によって選択されたオーディオ信号をオーディオ出力部２８０に提供することができる。例えば、選択されたモノラルオーディオ信号をＬ／ＬまたはＲ／Ｒ形態でオーディオコーデックを通じてスピーカまたはイヤホンで出力されてよい。
【００９６】
一方、オーディオ出力部２８０は、上述のように、スピーカ形態またはイヤホン形態で実現されてよい。オーディオ出力部２８０は、オーディオデータ出力時にはそのオーディオデータに対して定められた音量レベルで出力することができる。音量調整は、出力端に設けられた可変抵抗を用いて行うことができる。すなわち、オーディオ出力部２８０は、ユーザインターフェース部２９０に設けられた音量調整キーが操作されると、その操作状態に応じて可変抵抗値を変更し、出力されるオーディオ信号の音量レベルを変更することができる。
【００９７】
ユーザインターフェース部２９０は、ディスプレイ装置１００との接続動作を行うためのユーザ命令を受信する。そのために、ユーザインターフェース部２９０はタッチセンサまたは操作ボタン等で実現されてよい。ユーザがタッチセンサまたは操作ボタンをタッチすると、制御部２３０は接続要求メッセージをディスプレイ装置に伝送するように第１通信部２１０を制御することができる。具体的に、第１通信部２１０がブルートゥース通信モジュールで実現された場合、接続要求メッセージはブルートゥース通信可能な範囲内に存在するディスプレイ装置を検索するためのインクワイアリーメッセージであってよい。
【００９８】
一方、ユーザインターフェース部２９０は、多様なユーザ命令を受信することができる。例えば、ディスプレイ装置１００と接続動作が完了している状態で、別の同期化信号の伝送を要求するユーザ命令等を入力されてよい。
【００９９】
一方、上述の実施形態では、ディスプレイ装置１００がコンテンツのディスプレイタイミングに対応する同期化信号を各々生成し、メガネ装置２００に伝送するものとして説明しているがそれは一例に過ぎない。すなわち、ディスプレイ装置１００は、各コンテンツのディスプレイタイミングに対応する同期化信号をブルートゥース通信規格による一つの伝送パケットで生成し、メガネ装置に伝送することができる。
【０１００】
図６は、ブルートゥース規格によるペアリング過程で伝送されるパケットフォーマットの一例を示す図である。
【０１０１】
図６によると、パケットには、ブルートゥースアドレス（３ＤＧ  ＢＤ  ａｄｄｒｅｓｓ）、機器タイプ（Ｄｅｖｉｃｅ  Ｔｙｐｅ）、メガネ装置のバージョン情報（３ＤＧ  Ｖｅｒｓｉｏｎ  Ｎｏ．）、バッテリタイプ（Ｂａｔｔｅｒｙ  Ｔｙｐｅ）、残存バッテリ電圧（Ｒｅｍａｉｎｉｎｇ  Ｂａｔｔｅｒｙ  Ｖｏｌｔａｇｅ）、バッテリ充電状態（Ｂａｔｔｅｒｙ  Ｃｈａｒｇｉｎｇ  Ｓｔａｔｕｓ）、残存バッテリ率（Ｒｅｍａｉｎｉｎｇ  Ｂａｔｔｅｒｙ  Ｒａｔｉｏ）、残存バッテリ時間（Ｒｅｍａｉｎｉｎｇ  Ｂａｔｔｅｒｙ  Ｔｉｍｅ）、カラーシフト（Ｃｏｌｏｒ  Ｓｈｉｆｔ）に対する情報等が含まれてよい。
【０１０２】
図６では、１７バイトで構成されたパケット構成を示す。伝送パケットを１７バイトで構成する場合、１バイト及び４バイトのリザーブ（Ｒｅｓｅｒｖｅｄ）領域が存在するようになる。このようなリザーブ領域には、多様な付加情報が記録されてよい。
【０１０３】
図７は、本発明の一実施形態に係るディスプレイ装置の制御方法を説明するためのフローチャートである。
【０１０４】
図７に示すディスプレイ装置の制御方法によると、まず、複数のコンテンツがディスプレイされると（Ｓ７１０）、ディスプレイされる複数のコンテンツの各々に対応する複数のオーディオデータを信号処理して一つのオーディオ信号を生成する（Ｓ７２０）。
【０１０５】
続いて、信号処理されたオーディオ信号をメガネ装置に伝送する（Ｓ７３０）。
【０１０６】
ここで、複数のオーディオデータは、ディスプレイ部において交互にディスプレイされる複数のコンテンツの各々に対応する互いに異なる複数のモノラルオーディオ信号であってよい。なお、オーディオ信号を生成するステップＳ７２０は、互いに異なる複数のモノラルオーディオ信号を信号処理して一つのステレオオーディオ信号を生成することができる。
【０１０７】
なお、複数のコンテンツに対応する同期化信号を生成してメガネ装置に伝送することができる。この場合、ブルートゥース通信を通じて同期化信号を伝送することができる。
【０１０８】
なお、信号処理された一つのオーディオ信号をメガネ装置に伝送するステップＳ７３０は、ＲＦ通信を通じて前記同期化信号を伝送することができる。
【０１０９】
図８は、本発明の一実施形態に係るメガネ装置の制御方法を説明するためのフローチャートである。
【０１１０】
図８に示す複数のコンテンツをディスプレイするディスプレイ装置と連動するメガネ装置の制御方法によると、ディスプレイ装置から複数のコンテンツの各々に対応する複数のオーディオデータを含むオーディオ信号を受信する（Ｓ８１０）。
【０１１１】
続いて、受信されたオーディオ信号から複数のオーディオデータを復号する（Ｓ８２０）。
【０１１２】
その後、復号された複数のオーディオデータのうち何れか一つを選択するユーザ命令が受信されると（Ｓ８３０）、受信されたユーザ命令に従って、複数のオーディオデータのうちの一つを選択的に出力する（Ｓ８４０）。
【０１１３】
ここで、複数のオーディオデータは、ディスプレイ装置において交互にディスプレイされる複数のコンテンツの各々に対応する互いに異なる複数のモノラルオーディオ信号であってよい。
【０１１４】
なお、オーディオ信号を受信するステップは、ディスプレイ装置から互いに異なる複数のモノラルオーディオ信号を含む一つのステレオ信号を受信することができる。この場合、ＲＦ通信を通じてオーディオ信号を受信することができる。
【０１１５】
なお、ディスプレイ装置から複数のコンテンツの各々に対応する同期化信号を受信することができる。この場合、ブルートゥース通信を通じて同期化信号を受信することができる。
【０１１６】
なお、同期化信号が受信されると、同期化信号に基づいて前記複数のコンテンツの各々のディスプレイタイミングに応じて、第１及び第２シャッタグラス部のオープンタイミングを制御することができる。
【０１１７】
それにより、一つのオーディオ送信モジュール（すなわち、オーディオ処理モジュール）を用いて、互いに異なる複数個の音源を伝送することができるようになるため、デュアルビューオーディオ機能を実現することができるようになる。
【０１１８】
上述の多様な実施形態によるディスプレイ装置の制御方法や、メガネ装置の制御方法は、ソフトウェアで生成されてディスプレイ装置やメガネ装置に搭載されてよい。
【０１１９】
具体的には、本発明の一実施形態によると、複数のコンテンツをディスプレイするステップと、複数のコンテンツの各々に対応する複数のオーディオデータを信号処理して一つのオーディオ信号を生成するステップ及び信号処理された一つのオーディオ信号をメガネ装置に伝送するステップとを行うプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）がインストールされてよい。
【０１２０】
なお、メガネ装置にはディスプレイ装置から複数のコンテンツの各々に対応する複数のオーディオデータを含むオーディオ信号を受信するステップと、オーディオ信号から複数のオーディオデータを復号するステップと、復号された複数のオーディオデータの何れか一つを選択するユーザ命令を受信するステップ及びユーザ命令に従って、複数のオーディオデータのうちの一つを選択的に出力するステップとを行うプログラムが保存された非一時的な読み取り可能な媒体がインストールされてよい。
【０１２１】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１２２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１２３】
１００  ディスプレイ装置
１１０  ディスプレイ部
１２０、２７０、３２０  オーディオ信号処理部
１２１−１、１２１−２、１２２  ＡＤＣ
１３０  通信部
１４０、２３０  制御部
１５０−１、１５０−２、１５０−ｎ  受信部
１６０−１、１６０−２、１６０−ｎ  信号処理部
１７０  同期信号処理部
２００  メガネ装置
２００−１  メガネ装置１
２００−２  メガネ装置２
２１０  第１通信部
２２０  第２通信部
２４０  シャッタグラス駆動部
２５０  第１シャッタグラス部
２６０  第２シャッタグラス部
２８０  オーディオ出力部
２９０  ユーザインターフェース部
３００  信号処理装置
３１０  同期信号処理部
【図１】
2014050109.tif 000003
【図２Ａ】
2014050109.tif 000004
【図２Ｂ】
2014050109.tif 000005
【図３Ａ】
2014050109.tif 000006
【図３Ｂ】
2014050109.tif 000007
【図４】
2014050109.tif 000008
【図５】
2014050109.tif 000009
【図６】
2014050109.tif 000010
【図７】
2014050109.tif 000011
【図８】
2014050109.tif 000012